(57)【要約】【課題】銭湯やプール等において、お互いに離れて行動をする相手に対して連絡を取るための手段として携帯電話機を持ち歩く場合、携帯電話機を誤って水に濡らし、故障をさせてしまうという危険性がある。【解決手段】伝言板システム１０は、伝言データベース１４（以下ＤＢという）を有する伝言サーバ１２と、グループ登録装置２０と、伝言装置（４０，６０他）等がネットワーク１６を介して相互に接続されている。グループ登録装置２０は、銭湯のフロントに設置され、伝言装置（４０，６０）はフロント、男風呂、女風呂、及び休憩室等に、おのおの設置されている。また、脱衣場の鍵にはＲＦＩＤタグが内蔵されており、脱衣場のロッカーの鍵をフロントで貸し出す時に、グループ又はペアとなるＲＦＩＤタグを一箇所に集め、グループ登録装置２０を用いてワンタッチで登録することができる。【選択図】図１
2007213334.tif 000002
【特許請求の範囲】
【請求項１】
相手に伝言内容を伝達する伝言板システムにおいて、
自分と相手をグループとして登録するグループ登録手段と、
グループ登録手段で登録された相手に伝言内容を入力する伝言入力手段と、
伝言入力手段により入力された伝言内容をグループに関連付けて記憶するグループ別伝言記憶手段と、
関連付けられたグループを基にしてグループ別伝言記憶手段から伝言内容を抽出する伝言抽出手段と、
抽出された伝言内容を出力する伝言出力手段と、
を備えることを特徴とする伝言板システム。
【請求項２】
請求項１に記載の伝言板システムにおいて、
グループ登録手段は、
各人に割り当てられた無線タグを集め、集められた複数の無線タグを読み取る無線タグ読取器と、
自分と相手の少なくとも一人をペアとして認識するペアリング手段と、
を有し、
読み取った無線タグの情報をグループの構成情報としてグループ別伝言記憶手段に記憶させることを特徴とする伝言板システム。
【請求項３】
請求項１に記載の伝言板システムにおいて、
伝言入力手段は、
少なくとも伝言内容が入力された時間、場所に関する情報をグループ別伝言記憶手段に記憶させることを特徴とする伝言板システム。
【請求項４】
請求項１に記載の伝言板システムにおいて、
伝言出力手段は、
関連付けられたグループを基にしてグループ別伝言記憶手段から伝言内容を抽出する場合、伝言内容が入力された時間と、場所の情報と、共に出力することを特徴とする伝言板システム。
【発明の詳細な説明】
【技術分野】
【０００１】
本発明は、伝言板システムに関し、特に、携帯電話機などが利用できない場所で用いられる伝言板システムに関する。
【背景技術】
【０００２】
従来より、お互いに離れて行動をする相手に対して伝言を残すために、公共施設や駅の伝言板を利用して意思の疎通をはかることが行われている。しかし、このような伝言板は、伝言板が設置されている公共施設や駅のみで伝言が残されるので、伝言を受ける利用者は、その場所まで行かなければならず、また、駅員等の係員が所定時間経過した伝言を消さなければならないという管理作業を必要としていた。
【０００３】
このような欠点を解決するために、特許文献１には、伝言を行う利用者とその伝言を受け取る利用者とが離れていても、伝言を受け取ることができ、また、駅員などの係員が管理する必要がなく、さらに、伝言者が画像を用いて伝言することのできる伝言装置が開示されている。
【０００４】
【特許文献１】特開２０００−１７２９５８号公報
【発明の開示】
【発明が解決しようとする課題】
【０００５】
近年、携帯電話機の普及により、公共施設や遊園地などの場所では、携帯電話機による通話やメールなどで用件を伝えることができるため、伝言装置に対するニーズが減っている。しかし、銭湯やプール等において、お互いに離れて行動をする相手に対して連絡を取るための手段として携帯電話機を持ち歩く場合、携帯電話機を誤って水に濡らし、故障をさせてしまうという危険性がある。
【０００６】
特に、夫婦や家族で銭湯に行くと、男風呂と女風呂との意思疎通が難しい。また、伝言を残す場合でも、伝言の内容が自分と相手が風呂から出るタイミングに関することが主であり、特許文献１に示されるように、画像を用いて伝言を残すほどのこともない。
【０００７】
銭湯などでは、子供からお年寄りまで多くの人が利用することから簡単に操作できることが望まれているが、特許文献１に示されているように、入力された伝言相手の氏名を選択する等の操作が必要であった。
【課題を解決するための手段】
【０００８】
以上のような問題を解決するために、本発明に係る伝言板システムは、相手に伝言内容を伝達する伝言板システムにおいて、自分と相手をグループとして登録するグループ登録手段と、グループ登録手段で登録された相手に伝言内容を入力する伝言入力手段と、伝言入力手段により入力された伝言内容をグループに関連付けて記憶するグループ別伝言記憶手段と、関連付けられたグループを基にしてグループ別伝言記憶手段から伝言内容を抽出する伝言抽出手段と、抽出された伝言内容を出力する伝言出力手段と、を備えることを特徴とする。
【０００９】
また、本発明に係る伝言板システムにおいて、グループ登録手段は、各人に割り当てられた無線タグを集め、集められた複数の無線タグを読み取る無線タグ読取器と、自分と相手の少なくとも一人をペアとして認識するペアリング手段と、を有し、読み取った無線タグの情報をグループの構成情報としてグループ別伝言記憶手段に記憶させることを特徴とする。
【００１０】
さらに、本発明に係る伝言板システムにおいて、伝言入力手段は、少なくとも伝言内容が入力された時間、場所に関する情報をグループ別伝言記憶手段に記憶させることを特徴とする。
【００１１】
さらにまた、本発明に係る伝言板システムにおいて、伝言出力手段は、関連付けられたグループを基にしてグループ別伝言記憶手段から伝言内容を抽出する場合、伝言内容が入力された時間と、場所の情報と、共に出力することを特徴とする。
【発明の効果】
【００１２】
本発明によると、携帯電話機を持ち歩く必要もなく、簡単な操作で伝言を受け渡すことができるという効果がある。特に、ＲＦＩＤタグを用いることで、グループ登録時に個々の登録作業を行うことなしに簡単な方法でグループ登録又はペア登録できるという効果がある。
【発明を実施するための最良の形態】
【００１３】
以下、本発明の実施の形態（以下実施形態という）を図面に従って説明する。本実施形態では、本発明を銭湯（お風呂屋、スーパ銭湯を含む。）に適用した。
【００１４】
図１は、本実施形態に係る伝言板システム１０の全体構成を示している。伝言板システム１０は、伝言データベース１４（以下ＤＢという）を有する伝言サーバ１２と、グループ登録装置２０と、伝言装置（４０，６０，・・・（以下４０，６０と示す））等がネットワーク１６を介して相互に接続されている。グループ登録装置２０は、銭湯のフロントに設置され、伝言装置（４０，６０）はフロント、男風呂、女風呂、及び休憩室等に、おのおの設置されている。また、脱衣場の鍵にはＲＦＩＤタグが内蔵されており、脱衣場のロッカーの鍵をフロントで貸し出す時に、グループ又はペアとなるＲＦＩＤタグを一箇所に集め、グループ登録装置２０を用いてワンタッチで登録することができる。
【００１５】
伝言装置（４０，６０）に記録された伝言は、伝言サーバ１２の伝言ＤＢ１４に格納され、利用者の要求に基づいてそれぞれの伝言装置（４０，６０）へ伝言が送信される。
【００１６】
図２は、グループ登録装置２０の構成を示している。グループ登録装置２０は、ＲＦＩＤタグ３０の読取り及び操作を行う読取器２２と、パーソナル・コンピュータ（以下、ＰＣという。）と、無線ＬＡＮ装置２６と、を有している。読取器２２と無線ＬＡＮ装置２６とはＰＣ（２４）に接続され、ＰＣ（２４）により制御されている。また、読取器２２は、ＲＦＩＤ読取部３２と、グループ登録ボタン２７とグループ解除ボタン２８とを有している。
【００１７】
図３は、伝言装置４０の構成を示している。図３に示す伝言装置４０は、図示しないコンピュータを内蔵し、無線ＬＡＮ装置４４と接続され、伝言装置４０は、伝言表示部１００と、伝言入力操作部２００とを有している。伝言表示部１００は、時刻を示す時計１０８と、スピーカ１０６と、伝言が全表示の場合に点灯する全表示ＬＥＤ（１０２）と、伝言がグループ表示の場合に点灯するグループＬＥＤ（１０４）と、伝言内容を表示するメッセージ表示部１１０と、を含んでいる。
【００１８】
また、伝言入力操作部２００は、脱衣場の鍵に内蔵されているＲＦＩＤタグを読取る「１．鍵読取」部と、「２．伝言作成」部と、「３．書込文の選択」部と、「４．伝言の書込」部と、を含んでいる。「１．鍵読取」部は、ＲＦＩＤタグを読取るＲＦＩＤ読取部２０２と、読取り状況を表示するＯＫ−ＬＥＤ（２０４）とＮＧ−ＬＥＤ（２０６）を有している。さらに、「２．伝言作成」部は伝言作成ボタン２０８を有し、「３．書込文の選択」部は定型文入力パネル２１０の定型文に割り当てられているボタンを有し、「４．伝言の書込」部は決定ボタン２１４と取消ボタン２１６と書込が終了したことを示す書込終了ＬＥＤ２１２とを有している。
【００１９】
図４は、伝言板システム１０の処理工程を示すブロック図であり、図５は伝言板システム１０の処理の流れを示すフローチャート図である。
【００２０】
利用者が銭湯に入ると、入口の靴用ロッカーに靴を入れて鍵を取る。次に、フロントで入浴料を払って靴用のロッカーの鍵と交換に脱衣場のロッカーの鍵をもらう。この時、フロント担当者は、図４に示すグループ登録手段８０を用いる。フロント担当者は、利用者がグループ又はペアであるかを確認し、利用者の脱衣場の鍵を図２に示す読取器２２上のＲＦＩＤ読取部に集めて登録ボタン２７を押す。この操作により、ペアで来場したことがグループ別伝言記憶手段８２に登録される。
【００２１】
表１は、グループ別伝言記憶手段８２記憶されているグループ登録表である。例えば、男女のペアが来場し、男性のロッカーの番号が「０１２３」であり、女性のロッカーの番号が「４５６７」の時、この２つの番号が表１に示すグループ番号１として登録される。
【００２２】
さらに、夫婦と長男及び長女を連れた家族４名が来場した場合、同様にグループ番号２として登録される。なお、表の備考には、説明のために長男「９８７６」、長女「３４５６」などの情報を示したが、グループ登録手段８０で男、女、大人、子供等を入力しても良い。
【００２３】
【表１】
2007213334.tif 000003
【００２４】
表１に示すグループ登録表は、グループに割り当てられるグループ番号と、グループ又はペアの鍵番号と、各鍵番号のステータスが記憶される。フロント担当者は、図４に示すグループ登録手段８０を来場時に実行させ、ペア又はグループとして登録されたことをＰＣ（２４）の画面上で確認後、脱衣場のロッカーの鍵を利用者に手渡す。その後、利用者は、ロッカーに貴重品と脱いだ服を入れて、風呂場へ入る。
【００２５】
風呂場から出るときに、例えば男性が風呂場内に設置されている伝言装置４０を用いて伝言を残す場合、図５に示す処理が実行される。最初に、男性が「１．鍵読取」部のＲＦＩＤ読取部２０２に鍵をかざすと、伝言装置４０は、ステップＳ１０を実行し、鍵に内蔵されているＲＦＩＤタグの番号である「０１２３」を読取り、正常に読みとれたことを示すＯＫ−ＬＥＤ２０４を点灯させる。次に、伝言装置４０は、ステップＳ１２において、ＲＦＩＤタグの「０１２３」を伝言サーバに送信し、グループ検索を実行させる。
【００２６】
伝言サーバ１２は、表１に示すグループ登録表から「０１２３」はグループ番号が「１」であり、ペアは「４５６７」であることを特定する。もし、グループ番号「１」に関連する伝言メッセージがあれば伝言をステップＳ１４において表示し、既読処理を実行する（ステップＳ１６）。
【００２７】
男性が、図３の伝言作成ボタン２０８を押すと、伝言装置４０は伝言作成と判定（ステップＳ１８）し、伝言作成処理（ステップＳ２０）を実行する。男性は、定型文入力パネル２１０の「そろそろ、出ます。ごゆっくりどうぞ。」を選択するために定型文ボタンを押し、伝言の書き込みの決定ボタン２１４を押す。この操作により伝言装置４０は、伝言内容入力手段８４を終了し、書込終了ＬＥＤ２１２を点灯させて、伝言をグループ別伝言記憶手段８２に記憶させる。
【００２８】
グループ別伝言記憶手段８２は、グループ登録表から「０１２３」はグループ番号が「１」、ペアは「４５６７」であることを特定する。さらに、「０１２３」から書込があったことを示す「書込」にステータスを変更する。
【００２９】
伝言サーバ１２は、特定したペアである「４５６７」に伝言を送信するために、すべての伝言装置（４０，６０）にメッセージを送信する伝言出力手段８８を有している。伝言出力手段８８は、メッセージを受信した伝言装置（４０，６０）のメッセージ表示部１１０にメッセージ更新の音と共に「１４：５４  ０１２３  そろそろ、出ます。ごゆっくりどうぞ。（男湯）」と表示し、スピーカ１０６にて音声による出力が行われる。通常は、全表示（全表示ＬＥＤ１０２が点灯）となっているため、様々なメッセージが表示されているが、脱衣場の鍵を伝言入力操作部のＲＦＩＤ読取部２０２にかざすと（ステップＳ１０）、グループ検索が実行され（ステップＳ１２）、「０１２３」と「４５６７」とに関するメッセージだけが表示される（ステップＳ１４）。なお、この時グループＬＥＤ１０４が点灯し、所定時間経過後は全表示となる。
【００３０】
「４５６７」の鍵を持った女性は、自分への伝言を見ることができ、さらに、「了解しました」等のメッセージを返信することも可能であり、相手に合わせて風呂場を出てもよい。
【００３１】
また、自分へのメッセージや自分が残したメッセージを相手が未読であるか既読であるかを見ることも自分の鍵をかざすだけで、メッセージがあれば表示部に表示され、グループ登録表のステータスから既読か未読であるかも表示される（図示せず）。
【００３２】
ペアやグループの解除は、グループの内の１つの鍵によりグループ解除ボタンを押されたのち、所定時間が経過する（ステップＳ２２）と、伝言を消去しても良い状態に設定される（ステップＳ２４）。この時、メッセージはそのまま、確認することも可能であるが、グループが解除されたことを示す表示が行われ、どの鍵で解除されたことも表示される（図示せず）。
【００３３】
以上、上述したように、本実施形態では、ＲＦＩＤタグを使用する伝言システムにより簡単な操作でグループやペアの登録ができ、予め用意されたメッセージから選択して簡単に送信できることで、使い勝手が向上するという効果がある。
【００３４】
なお、本実施形態では、機器間は無線を使うことにより設置を容易としたが、ＲＦＩＤタグと小型ポケットベルを組み合わせることにより伝言装置が無い場所であってもコミニュケーションを取れる構成にしてもよい。
【図面の簡単な説明】
【００３５】
【図１】本発明の実施形態に係る伝言板システムの全体の構成を示す全体構成図である。
【図２】本発明の実施形態に係るグループ登録装置の構成を示す構成図である。
【図３】本発明の実施形態に係る伝言装置の外観を示す外観図である。
【図４】本発明の実施形態に係る伝言板システムの処理工程を示すブロック図である。
【図５】本発明の実施形態に係る伝言板システムの処理の流れを示すフローチャート図である。
【符号の説明】
【００３６】
１０  伝言板システム、１２  伝言サーバ、１４  伝言データベース、１６  ネットワーク、２０  グループ登録装置、２２  読取器、２６，４４  無線ＬＡＮ装置、２７  グループ登録ボタン、２８  グループ解除ボタン、３０  ＲＦＩＤタグ、３２，２０２  ＲＦＩＤ読取部、４０，６０  伝言装置、８０  グループ登録手段、８２  グループ別伝言記憶手段、８４  伝言内容入力手段、８８  伝言出力手段、１００  伝言表示部、１０２  全表示ＬＥＤ、１０４  グループＬＥＤ、１０６  スピーカ、１０８  時計、１１０  メッセージ表示部、２００  伝言入力操作部、２０４  ＯＫ−ＬＥＤ、２０６  ＮＧ−ＬＥＤ、２０８  伝言作成ボタン、２１０  定型文入力パネル、２１２  書込終了ＬＥＤ、２１４  決定ボタン、２１６  取消ボタン。
【図１】
2007213334.tif 000004
【図２】
2007213334.tif 000005
【図３】
2007213334.tif 000006
【図４】
2007213334.tif 000007
【図５】
2007213334.tif 000008